(57)【要約】【課題】複数のラベルフォーマットのうちから設定されているラベルフォーマットを簡単な操作で他のラベルフォーマットに変更してラベルを印字する。【解決手段】ラベル発行画面に表示される複数のワンタッチキーそれぞれに少なくとも商品情報又はラベルフォーマットを割付けておくとともに商品名又はラベル名をワンタッチキーに表示させる。ラベル名が表示されたワンタッチキーが入力されると、プリンタエンジンに設定されたラベルフォーマットを入力されたワンタッチキーに割付けられたラベルフォーマットに変更する。【選択図】図７
2007098853.tif 000002
【特許請求の範囲】
【請求項１】
商品名を含む商品に関する商品情報を複数記憶するとともに複数のラベルフォーマットを記憶し、前記記憶された複数の商品情報のうちから選択された商品情報を予め設定されたラベルフォーマットで印字するラベルプリンタにおいて、
複数のワンタッチキーを表示する表示入力部と、
この表示入力部に表示される複数のワンタッチキーそれぞれに少なくとも前記商品情報又は前記ラベルフォーマットを割付ける割付手段と、
この割付手段により前記複数のワンタッチキーに割付けた前記商品情報を示す商品名又は割付けたラベルフォーマットを示すラベル名をワンタッチキーに表示する表示手段と、
前記ラベル名が表示されたワンタッチキーが入力されると、前記設定されたラベルフォーマットを前記入力されたワンタッチキーに前記割付手段により割付けられたラベルフォーマットに変更するラベルフォーマット変更手段とを具備したことを特徴とするラベルプリンタ。
【請求項２】
前記商品情報を示す商品名を表示するワンタッチキーと前記ラベルフォーマットを示すラベル名を表示するワンタッチキーを異なる色で表示することを特徴とする請求項１記載のラベルプリンタ。
【発明の詳細な説明】
【技術分野】
【０００１】
本発明は、複数の種類のラベルを発行するラベルプリンタに関する。
【背景技術】
【０００２】
従来のラベルプリンタにおいて、予め設定されているラベルフォーマットからラベルフォーマットを変更してラベルを印字する場合は次のような操作を行っている。オペレータは図１０に示すラベル発行画面において「プリンタ選択」キー１を押下し、図１１に示すプリンタ選択画面を表示させる。このようにプリンタ選択画面を表示させた後、オペレータは、数字キー３で選択したいラベルフォーマットの番号を入力する。このようにラベルフォーマットの番号を入力した後、ラベルフォーマットＮＯ．のエリア２を押下してラベルフォーマットを確定する。そして、オペレータは「戻」キー４を押下してラベル発行画面に戻り、ラベル発行画面においてラベルの印字発行を指示している。
【０００３】
また、フォーマットの選択操作がされた際、選択前のフォーマットと、選択前のフォーマットを選択したときの操作モードとを呼び出し可能に記憶し、第１の呼び出しキーが操作されると記憶されたフォーマットと操作モードとを呼び出すことにより、一時的に操作モードとフォーマットを他に切り替えて作業を行っても簡単な操作で容易に元の操作モードとフォーマットに戻すことができるラベルプリンタが知られている（例えば、特許文献１参照）。
【特許文献１】特許第３３６２７１９号
【発明の開示】
【発明が解決しようとする課題】
【０００４】
従来のラベルプリンタで複数のラベルフォーマットのうちから設定されているラベルフォーマットから他のラベルフォーマットに変更してラベルを印字する場合、オペレータは画面の切り替えやラベルフォーマット番号の入力などのいくつかのキー操作を行う必要があり、操作が面倒であった。
【０００５】
本発明は上記事情に鑑みてなされたものであって、その目的は、複数のラベルフォーマットのうちから設定されているラベルフォーマットを簡単な操作で他のラベルフォーマットに変更してラベルを印字するラベルプリンタを提供することにある。
【課題を解決するための手段】
【０００６】
本発明は、商品名を含む商品に関する商品情報を複数記憶するとともに複数のラベルフォーマット情報を記憶し、記憶された複数の商品情報のうちから選択された商品情報を予め設定されたラベルフォーマットで印字するラベルプリンタにおいて、複数のワンタッチキーを表示する表示入力部と、この表示入力部に表示される複数のワンタッチキーそれぞれに少なくとも商品情報又はラベルフォーマットを割付ける割付手段と、この割付手段により複数のワンタッチキーに割付けた商品情報を示す商品名又は割付けたラベルフォーマットを示すラベル名をワンタッチキーに表示する表示手段と、ラベル名が表示されたワンタッチキーが入力されると、設定されたラベルフォーマットを入力されたワンタッチキーに割付手段により割付けられたラベルフォーマットに変更するラベルフォーマット変更手段とを具備したものである。
【発明の効果】
【０００７】
本発明によると、複数のラベルフォーマットのうちから設定されているラベルフォーマットを簡単な操作で他のラベルフォーマットに変更してラベルを印字するラベルプリンタを提供できる。
【発明を実施するための最良の形態】
【０００８】
以下、本発明の実施の形態について図面を参照して説明する。  
図１は、本発明が適用されたラベルプリンタ１１の外観を示す斜視図である。ラベルプリンタ１１は、オペレータに情報を表示するとともにオペレータから指示を受付ける表示入力部１２、商品の重量を計量するロードセルユニット１３、ラベルを発行するラベル発行口１４などを有している。
【０００９】
図２は、ラベルプリンタ１１の要部構成を示すブロック図である。図２に示すように、制御部本体を構成するＣＰＵ２１、制御プログラムや固定データ等を記憶するフラッシュＲＯＭ２２、商品に関する商品情報を記憶するＰＬＵ（プライス・ルック・アップ）ファイル、表示入力部１２のタッチパネル１２ａに表示する複数のワンタッチキーそれぞれに情報を割り付けた後述するワンタッチキーファイルＦ、ラベルを印字するための複数の種類のラベルフォーマット、風袋に関するファイル及び後述するラベルフォーマット変更処理等を実行するための制御プログラムなどを記憶するとともにワークエリアを有するＲＡＭ２３、ロードセルユニット１３から重量データを取り込むための秤インタフェース２４、上位装置からの各種設定データの送受信を行うためのネットワークインタフェース２５、バーコードを読取るスキャナ２６からの入力データを取り込むシリアルインタフェース２７、表示入力部１２のタッチパネル１２ａからの入力データを取り込むキーコントローラ２８、表示入力部１２のＬＣＤ１２ｂの各種設定画面表示及びＬＥＤ２９の表示を行う表示コントローラ３０、設定されたラベルフォーマットに基づいてラベルを印字するプリンタ３１を制御するプリンタエンジン３２、ラベルを発行する際に使用する透過，反射，温度等の各種センサ３３とデータの受け渡しを行うＩ／Ｏポート３４が設けられている。
【００１０】
また、ＣＰＵ２１と、フラッシュＲＯＭ２２、ＲＡＭ２３、秤インタフェース２４、ネットワークインタフェース２５、シリアルインタフェース２７、キーコントローラ２８、表示コントローラ３０、プリンタエンジン３２、Ｉ／Ｏポート３４とはバスラインによって接続されている。
【００１１】
図３は、ＲＡＭ２３に記憶されるワンタッチキーファイルＦを示す図である。キー番号１からＮは、図８を参照して後述するラベル発行画面に表示されるワンタッチキーとそれぞれ対応している番号である。図３に示すように各キー番号には「割付コード」、「キー表示名称」、「キー種別」、「キーサイズ」、「キー色」、「文字サイズ」、「文字色」の情報が割付けられている。「割付コード」はキー番号に割り付けるコードであり、例えばＰＬＵに記憶された商品情報を割付ける場合は６桁の商品番号、ラベルの印字フォーマットを割付ける場合は１から５０までのラベルフォーマット番号、風袋を割り当てる場合は１から９９８までの風袋量が割付けられる。「キー表示名称」は、ワンタッチキーに表示するキーの名称が割付けられる。このようにキー表示名称に割付けられたキー表示名称がラベル発行画面においてワンタッチキー上に表示される。「キー種別」はＰＬＵ、ラベルフォーマット、風袋などのキー種別が割付けられる。「キーサイズ」はワンタッチキーのキーサイズが割付けられる。「キー色」はワンタッチキーの表示色が割付けられる。「文字サイズ」は文字の大きさが割付けられる。「文字色」はワンタッチキーに表示する文字の色が割付けられる。
【００１２】
具体的には、図３に示すように、キー番号「１」のワンタッチキーには、「割付けコード」に「０００００１」、「キー表示名称」に「牛ロース」、「キー種別」に「ＰＬＵ」、「キーサイズ」に「１」、「キー色」に「ピンク」、「文字サイズ」に「１６ビット」、「文字色」に「黒」が割付けられる。また、キー番号「１０」のワンタッチキーには「割付コード」にラベルフォーマット番号「１」の揚物ラベル、キー番号「１１」のワンタッチキーには「割付コード」にラベルフォーマット番号「２」の弁当ラベル、キー番号「１２」のワンタッチキーには「割付コード」にラベルフォーマット番号「１５」のサラダラベルのラベルフォーマットが割付けられている。このようにワンタッチキーファイルＦには、３つのラベルフォーマットが割付けられている。キー番号Ｎには「割付コード」に「５」グラムの風袋量が割付けられている。
【００１３】
続いて、ワンタッチキーに割付けたラベルフォーマットでラベルを印字したときの具体例を図４から図６を参照して説明する。図４は、キー番号１０に割付けられたラベルフォーマットでラベルを印字したときの印字例、すなわち揚物ラベル４１の印字例を示す図である。図５はキー番号１１に割付けられたラベルフォーマットでラベルを印字したときの印字例、すなわち、弁当ラベル４２の印字例を示す図である。図６はキー番号１２に割付けられたラベルフォーマットでラベルを印字したときの印字例、すなわち、サラダラベル４３の印字例を示す図である。このようにラベルプリンタ１１は商品の種類である揚物、弁当、サラダなどによって適切なラベルを印字できるように複数のラベルを印字することができるようになっている。
【００１４】
次に、表示入力部１２に表示されたラベル発行画面（図８にて図示。）においてラベルフォーマットを変更するラベルフォーマット変更処理について説明する。図７はラベルフォーマット変更処理の要部を示すフローチャートである。  
ＣＰＵ２１は、表示入力部１２に表示したワンタッチキーのいずれかからキーが押下されたことを検出すると（ＳＴ１０１）、その押下されたワンタッチキーに割付けられたキー種別はラベルフォーマットであるか否かをＲＡＭ２３に記憶したワンタッチキーファイルＦに基づいて判断する（ＳＴ１０２）。この判断でキー種別はラベルフォーマットであると判断すると（ＳＴ１０２でＹＥＳ）、ＣＰＵ２１はそのワンタッチキーに割付けられたラベルフォーマットをワンタッチキーファイルＦに基づいて呼び出す（ＳＴ１０３）。例えば、キー番号１０のワンタッチキーの押下を検出した場合には、キー種別としてラベルフォーマットが割付けられていると判断され、ラベルフォーマット番号「１」のラベルフォーマットが呼び出される。このラベルフォーマットを示すラベルフォーマットデータはＲＡＭ２３に一時的に保存される。
【００１５】
このようにラベルフォーマットの呼び出しを行うと、ＣＰＵ２１はラベルフォーマットの呼び出しは正常であるか否かを判断する（ＳＴ１０４）。ラベルの呼び出しが正常でないと判断した場合は（ＳＴ１０４でＮＯ）、ＣＰＵ２１は例えば表示入力部１２のＬＣＤ１２ｂにエラー表示を行い（ＳＴ１０５）、処理を終了する。ラベルフォーマットの呼び出しが正常であると判断した場合は（ＳＴ１０４でＹＥＳ）、ＣＰＵ２１は、ＲＡＭ２３に一時的に保存したラベルフォーマットデータをプリンタエンジン３２へ出力する（ＳＴ１０６）。
【００１６】
ラベルフォーマットデータをプリンタエンジン３２へ出力すると、ＣＰＵ２１は出力したラベルフォーマットデータが正常にプリンタエンジン３２へ送信されたか否かを判断する（ＳＴ１０７）。例えばプリンタエンジン３２において設定されているラベルを発行するためのラベルフォーマットがステップＳＴ１０６で出力されたラベルフォーマットデータに基づくラベルフォーマットに変更がされたか否かを確認することができたか否かにより判断される。すなわち、ラベルフォーマットが変更された場合はラベルフォーマットデータがプリンタエンジン３２に正常に送信されたと判断し、ラベルフォーマットが変更されなかった場合はラベルフォーマットがプリンタエンジン３２に正常に送信されなかったと判断される。ラベルフォーマットデータが正常に送信されていないと判断すると（ＳＴ１０７でＮＯ）、ＣＰＵ２１はこの処理を終了する。ラベルフォーマットデータが正常に送信されたと判断すると（ＳＴ１０７でＹＥＳ）、ＣＰＵ２１はラベルフォーマット変更通知ウインドウを表示入力部１２のＬＣＤ１２ｂへ表示し、（ＳＴ１０８）処理を終了する。
【００１７】
一方、押下されたワンタッチキーに割付けられたキー種別がラベルフォーマットでないと判断した場合は（ＳＴ１０２でＮＯ）、ＣＰＵ２１はそのキーに応じた処理を行い（ＳＴ１０９）、処理を終了する。
【００１８】
次にこのように構成されたラベルプリンタ１１において、商品情報を印字するラベルのラベルフォーマットを変更する場合の作用について説明する。
【００１９】
図８は、ラベルプリンタ１１の表示入力部１２に表示される商品のラベルを発行する際のラベル発行画面５１の一例を示す図である。図８においては、ラベルに印字する商品情報としてツナサラダが呼び出されている。このツナサラダの商品情報は、ラベル発行画面５１でツナサラダの文字が表示されたワンタッチキーが押下されることによりツナサラダに関する重さ、単価、値段、加工日等の商品情報がＲＡＭ２３に記憶されたＰＬＵファイルから呼び出される。このラベル発行画面５１には、図８に示すように商品情報を呼び出すための商品名が表示されたワンタッチキー、ラベルフォーマットを変更するための揚物ラベル、弁当ラベル、サラダラベルというラベル名が表示されたワンタッチキー５２，５３，５４、風袋の重さの設定を呼び出すために風袋の重さが表示されたワンタッチキーなどが表示されている。なお、商品名及びラベル名は黒で表示されているが、商品名を表示したワンタッチキーの色はピンク色で表示され、ラベル名を表示したワンタッチキーの色は青色で表示され、風袋を表示したワンタッチキーは灰色で表示されている。このためラベルを変更するためのワンタッチキー５２，５３，５４が視認しやすくなっている。
【００２０】
さて、このラベルプリンタ１１において例えば前回に揚物ラベル４１を印字した場合は、プリンタエンジン３２に設定されているラベルを印字するためのラベルフォーマットは揚物ラベル４１を印字するためのラベルフォーマットとなっている。しかしながら、現在呼び出している商品情報はツナサラダであるため、サラダラベル４３のラベルフォーマットで印字する必要がある。したがって、オペレータはラベル発行画面５１のサラダラベルと表示されているワンタッチキー５４を押下する。
【００２１】
このようにサラダラベルのワンタッチキー５４が押下されると、ラベルプリンタ１１は、プリンタエンジン３２に設定されているラベルフォーマットを、ワンタッチキーファイルＦに基づいてサラダラベルのワンタッチキー５４に割付けられているラベルフォーマット番号「１５」で呼び出されるラベルフォーマットに変更する。そして、ラベルプリンタ１１はラベルフォーマットの設定を変更するとＬＣＤ１２ｂにラベルフォーマット変更通知ウインドウを表示する。図９は、ＬＣＤ１２ｂに表示されたラベルフォーマット変更通知ウインドウ５６の一例を示す図である。オペレータは図９に示す表示を視認することにより、ラベルの印字に設定されていたラベルフォーマットがサラダラベルに変更されたことを確認できる。このようにサラダラベルのラベルフォーマットに変更になったことを確認した後、オペレータはラベル発行画面の発行キー５５を押下することにより、ツナサラダのラベルをサラダラベルのフォーマットで印字し、ラベル発行口１４からラベルを発行することができる。
【００２２】
この実施の形態のラベルプリンタ１１によると、設定されているラベルフォーマットを変更してラベルを印字する際に、表示入力部１２に表示されるラベル発行画面５１の切換え等を行わなくても揚物ラベル、弁当ラベル、サラダラベルとラベル名が表示されたワンタッチキー５２，５３，５４から所望のワンタッチキーを押下するだけの簡単な操作でラベルフォーマットを変更して、ラベルを印字発行することができる。
【００２３】
また、所望のラベルと異なるラベルのワンタッチキーを押下してしまった場合には、ＬＣＤ１２ｂに表示されるラベルフォーマット変更通知ウインドウ５６により誤ってワンタッチキーを押下したことが確認できるため、所望でないラベルフォーマットで印字されたラベルがラベル発行口１４から発行されてしまうことを防止することができる。
【００２４】
なお、本発明は、上述した実施の形態そのままに限定されるものではなく、実施段階ではその要旨を逸脱しない範囲で構成要素を変形して具体化できるものである。
【図面の簡単な説明】
【００２５】
【図１】本発明の一実施の形態におけるラベルプリンタの外観を示す斜視図。
【図２】同実施の形態におけるラベルプリンタの要部構成を示すブロック図。
【図３】同実施の形態におけるワンタッチキーファイルを示す図。
【図４】同実施の形態における揚物ラベルの印字例を示す図。
【図５】同実施の形態における弁当ラベルの印字例を示す図。
【図６】同実施の形態におけるサラダラベルの印字例を示す図。
【図７】同実施の形態におけるラベルフォーマット変更処理の要部を示すフローチャート。
【図８】同実施の形態におけるラベル発行画面を示す図。
【図９】同実施の形態におけるラベルフォーマット変更通知ウインドウの一例を示す図。
【図１０】従来例におけるラベル発行画面を示す図。
【図１１】従来例におけるプリンタ選択画面を示す図。
【符号の説明】
【００２６】
１１…ラベルプリンタ，１２…表示入力部，１２ａ…タッチパネル，１２ｂ…ＬＣＤ，２１…ＣＰＵ，２３…ＲＡＭ，４１…揚物ラベル，４２…弁当ラベル，４３…サラダラベル，５１…ラベル発行画面，５２，５３，５４…ワンタッチキー，Ｆ…ワンタッチキーファイル
【図１】
2007098853.tif 000003
【図２】
2007098853.tif 000004
【図３】
2007098853.tif 000005
【図４】
2007098853.tif 000006
【図５】
2007098853.tif 000007
【図６】
2007098853.tif 000008
【図７】
2007098853.tif 000009
【図８】
2007098853.tif 000010
【図９】
2007098853.tif 000011
【図１０】
2007098853.tif 000012
【図１１】
2007098853.tif 000013